(57)【要約】【課題】フィンシャット時の漏れ風の速度を低下させるレジスタを提供すること。【解決手段】レジスタのリテーナ内に並設された複数の縦フィン６には、フィンシャット時にリテーナの通風方向Ｗの上流側に位置する表面６Ａにて、その表面６Ａに近接した縦フィン６の端部６Ｂに沿って凸設されると共にその表面６Ａに近接した縦フィン６の端部６Ｂに向かう「返し」が形成された側面７Ａを有する突条７を備える。その表面６Ａとその表面６Ａに近接した縦フィン６の端部６Ｂとの間から生じる漏れ風（線Ｆ参照）は、突条７の側面７Ａで形成された「返し」によって風向きが変わり、他の漏れ風と合流しない。よって、それぞれの漏れ風は、ベゼルの全面に均一に分散するので、フィンシャット時の漏れ風の速度を低下させることができる。【選択図】図９
2015152202.tif 000002
【特許請求の範囲】
【請求項１】
リテーナ内に並設された複数のフィンの表面がフィンシャット時にそれぞれ近接して略同一平面状になることによって前記リテーナを閉じた状態にするレジスタであって、
前記複数のフィンには、フィンシャット時に前記リテーナの通風方向上流側に位置する表面にて、当該表面に近接したフィンの端部に沿って凸設されると共に当該表面に近接したフィンの端部に向かう返しが形成された側面を有する突条を備えたこと、を特徴とするレジスタ。
【請求項２】
請求項１に記載するレジスタであって、
前記突条の側面は、傾斜面であり、当該表面に近づくに連れて当該表面に近接したフィンの端部から遠ざかること、を特徴とするレジスタ。
【請求項３】
請求項１に記載するレジスタであって、
前記突条の側面は、コの字状の凹面であること、を特徴とするレジスタ。
【請求項４】
請求項１に記載するレジスタであって、
前記突条の側面は、四分円状の凹面であること、を特徴とするレジスタ。
【請求項５】
請求項１に記載するレジスタであって、
前記突条の側面は、半円状の凹面であること、を特徴とするレジスタ。
【発明の詳細な説明】
【技術分野】
【０００１】
本発明は、フィンシャットが行われる空気吹出調整用のレジスタに関するものである。
【背景技術】
【０００２】
従来、フィンシャットが行われる空気吹出調整用のレジスタには、例えば、下記特許文献１の「背景技術」の欄に記載されたレジスタがある。このレジスタでは、フィンシャットされると、フィンが相互に接近して空気吹出口を全閉状態に遮断する。
【先行技術文献】
【特許文献】
【０００３】
【特許文献１】特開２００５−４１４２９号公報
【発明の概要】
【発明が解決しようとする課題】
【０００４】
しかしながら、フィンシャットされても、相互に接近したフィン間には僅かな隙間が形成されるため、漏れ風が生じる。しかも、フィンシャット時の各フィン間から生じる漏れ風は、同一方向の風向きであるため、合流して、風速が高い一つの空気流れとなる。
【０００５】
尚、低価格帯のレジスタに対しては、漏れ風を防ぐダンパーを省きたい要請がある。
【０００６】
そこで、本発明は、上述した点を鑑みてなされたものであり、フィンシャット時の漏れ風の速度を低下させるレジスタを提供することを課題とする。
【課題を解決するための手段】
【０００７】
この課題を解決するためになされた請求項１に係る発明は、リテーナ内に並設された複数のフィンの表面がフィンシャット時にそれぞれ近接して略同一平面状になることによって前記リテーナを閉じた状態にするレジスタであって、前記複数のフィンには、フィンシャット時に前記リテーナの通風方向上流側に位置する表面にて、当該表面に近接したフィンの端部に沿って凸設されると共に当該表面に近接したフィンの端部に向かう返しが形成された側面を有する突条を備えたこと、を特徴とする。
【０００８】
また、請求項２に係る発明は、請求項１に記載するレジスタであって、前記突条の側面は、傾斜面であり、当該表面に近づくに連れて当該表面に近接したフィンの端部から遠ざかること、を特徴とする。
【０００９】
また、請求項３に係る発明は、請求項１に記載するレジスタであって、前記突条の側面は、コの字状の凹面であること、を特徴とする。
【００１０】
また、請求項４に係る発明は、請求項１に記載するレジスタであって、前記突条の側面は、四分円状の凹面であること、を特徴とする。
【００１１】
また、請求項５に係る発明は、請求項１に記載するレジスタであって、前記突条の側面は、半円状の凹面であること、を特徴とする。
【発明の効果】
【００１２】
すなわち、本発明のレジスタでは、リテーナ内に並設された複数のフィンには、フィンシャット時にリテーナの通風方向上流側に位置する表面にて、当該表面に近接したフィンの端部に沿って凸設されると共に当該表面に近接したフィンの端部に向かう返しが形成された側面を有する突条を備える。そのため、当該表面と当該表面に近接したフィンの端部との間から生じる漏れ風は、突条の側面で形成された返しによって風向きが変わり、他の漏れ風と合流することない。よって、本発明のレジスタでは、それぞれの漏れ風が均一に分散するので、フィンシャット時の漏れ風の速度を低下させることができる。
【図面の簡単な説明】
【００１３】
【図１】本発明の一実施形態に係るレジスタ１を表した斜視図である。
【図２】同レジスタ１を表した正面図である。
【図３】同レジスタ１を表した平面図である。
【図４】同レジスタ１を表した底面図である。
【図５】同レジスタ１を表した左側面図である。
【図６】同レジスタ１を表した右側面図である。
【図７】フィンオープン時の同レジスタ１を図２の線Ａ−Ａで切断した断面図であって、リテーナ２や、ベゼル３、縦フィン６等を表した図である。
【図８】フィンシャット時の同レジスタ１を図２の線Ａ−Ａで切断した断面図であって、リテーナ２や、ベゼル３、縦フィン６等を表した図である。
【図９】フィンシャット時の同レジスタ１の縦フィン６について図８の線Ｂで囲まれた部分を拡大した断面図であって、２つの縦フィン６が近接した状態を表した図である。
【図１０】同レジスタ１の縦フィン６を一つの部材として成型するための金型１０，１１を表した図である。
【図１１】フィンシャット時の同レジスタ１の縦フィン６について図８の線Ｂで囲まれた部分の変更例を拡大した断面図であって、２つの縦フィン６が近接した状態を表した図である。
【図１２】フィンシャット時の同レジスタ１の縦フィン６について図８の線Ｂで囲まれた部分の変更例を拡大した断面図であって、２つの縦フィン６が近接した状態を表した図である。
【図１３】フィンシャット時の同レジスタ１の縦フィン６について図８の線Ｂで囲まれた部分の変更例を拡大した断面図であって、２つの縦フィン６が近接した状態を表した図である。
【図１４】フィンシャット時の同レジスタ１を図２の線Ａ−Ａで切断した断面図であって、縦フィン６の突条７の変更例を拡大した図である。
【図１５】フィンシャット時の同レジスタ１を図２の線Ａ−Ａで切断した断面図であって、縦フィン６の突条７の変更例を拡大した図である。
【発明を実施するための形態】
【００１４】
以下、図１乃至図１５を参照して、本発明の一実施形態に係るレジスタ１について詳細に説明する。
【００１５】
［１．レジスタの外観］
図１は、本実施形態に係るレジスタ１を表した斜視図である。図２は、本実施形態に係るレジスタ１を表した正面図である。図３は、本実施形態に係るレジスタ１を表した平面図である。図４は、本実施形態に係るレジスタ１を表した底面図である。図５は、本実施形態に係るレジスタ１を表した左側面図である。図６は、本実施形態に係るレジスタ１を表した右側面図である。
【００１６】
図１乃至図６に表したように、本実施形態に係るレジスタ１は、リテーナ２や、ベゼル３、横フィン４、操作ノブ５、縦フィン６等を有している。リテーナ２は、空気誘導路を形成するダクトである。ベゼル３は、本実施形態に係るレジスタ１の前面部を構成し、リテーナ２と嵌合して連結している。
【００１７】
ベゼル３の向こう側には、５本の横フィン４がリテーナ２内に横方向で平行に配置されている。その配置されている真ん中の横フィン４には、左右の横方向に摺動可能な操作ノブ５が嵌め込まれている。さらに、５本の横フィン４の奥には、４本の縦フィン６がリテーナ２内に縦方向で平行に配置されている。
【００１８】
操作ノブ５を上下方向に移動させると、５本の横フィン４が連動すると共に回動して一斉にその向きを変えることができる。これに対して、操作ノブ５を左右方向に移動させると、４本の縦フィン６が連動すると共に回動して一斉にその向きを変えることができる。
【００１９】
横フィン４や縦フィン６のこのような動きを操作ノブ５を介して行うメカニズムは、横フィン４の回動装置や、縦フィン６の回動装置、操作ノブ５に設けられたギヤなどで構成されるが、公知技術であり、その説明は省略する。
【００２０】
［２．縦フィンによるフィンオープン・フィンシャット］
図７は、フィンオープン時の本実施形態に係るレジスタ１を図２の線Ａ−Ａで切断した断面図であって、リテーナ２や、ベゼル３、縦フィン６等を表した図である。図８は、フィンシャット時の本実施形態に係るレジスタ１を図２の線Ａ−Ａで切断した断面図であって、リテーナ２や、ベゼル３、縦フィン６等を表した図である。
【００２１】
図７に表したように、本実施形態に係るレジスタ１では、フィンオープン時の各縦フィン６は、リテーナ２の通風方向Ｗと略平行に位置する。これに対して、図８に表したように、フィンシャット時の各縦フィン６は、リテーナ２の通風方向Ｗと略直角に位置する。つまり、フィンシャット時の各縦フィン６は、それぞれ近接して略同一平面状になり、リテーナ２を閉じた状態にする。
【００２２】
［３．縦フィンの突条］
図９は、フィンシャット時の本実施形態に係るレジスタ１の縦フィン６について図８の線Ｂで囲まれた部分を拡大した断面図であって、２つの縦フィン６が近接した状態を表した図である。
【００２３】
図９に表したように、縦フィン６には、フィンシャット時にリテーナ２の通風方向Ｗの上流側（図９の下側）に位置する表面６Ａにて、その表面６Ａに近接した縦フィン６の端部６Ｂに沿った突条７が設けられている。つまり、突条７は、表面６Ａから突出した突起部が細長く続いたものである。
【００２４】
突条７の側面７Ａは、表面６Ａに近づくに連れて、その表面６Ａに近接した縦フィン６の端部６Ｂから遠ざかる傾斜面である。この傾斜面により、側面７Ａには、その表面６Ａに近接した縦フィン６の端部６Ｂに向かう「返し」が形成されている。
【００２５】
そして、図９の線Ｆで表したように、リテーナ２の通風方向Ｗに流れる空気は、近接した状態にある２つの縦フィン６間を通った後、突条７の側面７Ａや端部６Ｂに当たる。その結果、近接した状態にある２つの縦フィン６間から生じる漏れ風は、突条７の側面７Ａと端部６Ｂとの間を抜けると、リテーナ２の通風方向Ｗに近い風向きとなる。
【００２６】
［４．縦フィンの型内成形］
図１０は、本実施形態に係るレジスタ１の縦フィン６を一つの部材として成型するための金型１０，１１を表した図である。図１０に表したようにパーティングラインＰＬを金型１０，１１に対して設けることで、突起部が細長く続いた突条７を有する縦フィン６を、スライドがなくとも成型することができる。
【００２７】
［５．まとめ］
すなわち、本実施形態に係るレジスタ１において、リテーナ２内に並設された複数の縦フィン６には、フィンシャット時にリテーナ２の通風方向Ｗの上流側に位置する表面６Ａにて、その表面６Ａに近接した縦フィン６の端部６Ｂに沿って凸設されると共にその表面６Ａに近接した縦フィン６の端部６Ｂに向かう「返し」が形成された側面７Ａを有する突条７を備える。
【００２８】
その表面６Ａとその表面６Ａに近接した縦フィン６の端部６Ｂとの間から生じる漏れ風（図９の線Ｆ参照）は、突条７の側面７Ａで形成された「返し」によって風向きが変わり、他の漏れ風と合流しない。よって、それぞれの漏れ風は、ベゼル３の全面に均一に分散するので、フィンシャット時の漏れ風の速度を低下させることができる。
【００２９】
［５．その他］
尚、本発明は上記実施形態に限定されるものでなく、その趣旨を逸脱しない範囲で様々な変更が可能である。
【００３０】
［５．−１  「返し」の変更例その１］
例えば、図９の突条７の側面７Ａに代えて図１１の突条７の側面７Ａで「返し」を形成してもよい。図１１の突条７の側面７Ａは、「コ」の字状の凹面である。このような場合でも、図１１の線Ｆで表したように、リテーナ２の通風方向Ｗに流れる空気は、近接した状態にある２つの縦フィン６間を通った後、突条７の側面７Ａや端部６Ｂに当たる。その結果、近接した状態にある２つの縦フィン６間から生じる漏れ風は、突条７の側面７Ａと端部６Ｂとの間を抜けると、リテーナ２の通風方向Ｗに近い風向きとなる。
【００３１】
そのため、その表面６Ａとその表面６Ａに近接した縦フィン６の端部６Ｂとの間から生じる漏れ風（図１１の線Ｆ参照）は、突条７の側面７Ａで形成された「返し」によって風向きが変わり、他の漏れ風と合流しない。よって、それぞれの漏れ風は、ベゼル３の全面に均一に分散するので、フィンシャット時の漏れ風の速度を低下させることができる。
【００３２】
［５．−２  「返し」の変更例その２］
また、図９の突条７の側面７Ａに代えて図１２の突条７の側面７Ａで「返し」を形成してもよい。図１２の突条７の側面７Ａは、四分円状の凹面である。このような場合でも、図１２の線Ｆで表したように、リテーナ２の通風方向Ｗに流れる空気は、近接した状態にある２つの縦フィン６間を通った後、突条７の側面７Ａや端部６Ｂに当たる。その結果、近接した状態にある２つの縦フィン６間から生じる漏れ風は、突条７の側面７Ａと端部６Ｂとの間を抜けると、リテーナ２の通風方向Ｗに近い風向きとなる。
【００３３】
そのため、その表面６Ａとその表面６Ａに近接した縦フィン６の端部６Ｂとの間から生じる漏れ風（図１２の線Ｆ参照）は、突条７の側面７Ａで形成された「返し」によって風向きが変わり、他の漏れ風と合流しない。よって、それぞれの漏れ風は、ベゼル３の全面に均一に分散するので、フィンシャット時の漏れ風の速度を低下させることができる。
【００３４】
［５．−３  「返し」の変更例その３］
また、図９の突条７の側面７Ａに代えて図１３の突条７の側面７Ａで「返し」を形成してもよい。図１３の突条７の側面７Ａは半円状の凹面である。このような場合でも、図１３の線Ｆで表したように、リテーナ２の通風方向Ｗに流れる空気は、近接した状態にある２つの縦フィン６間を通った後、突条７の側面７Ａや端部６Ｂに当たる。その結果、近接した状態にある２つの縦フィン６間から生じる漏れ風は、突条７の側面７Ａと端部６Ｂとの間を抜けると、リテーナ２の通風方向Ｗに近い風向きとなる。
【００３５】
そのため、その表面６Ａとその表面６Ａに近接した縦フィン６の端部６Ｂとの間から生じる漏れ風（図１３の線Ｆ参照）は、突条７の側面７Ａで形成された「返し」によって風向きが変わり、他の漏れ風と合流しない。よって、それぞれの漏れ風は、ベゼル３の全面に均一に分散するので、フィンシャット時の漏れ風の速度を低下させることができる。
【００３６】
［５．−４  「返し」の変更例その４，５］
また、図１４に表したように突条７の側面７Ａが台形状の凹面であってもよいし、図１５に表したように突条７の側面７Ａが三角形状の凹面であってもよい。
【００３７】
［５．−５  フィンの変更例］
また、縦フィン６ではなく横フィン４のフィンシャットでリテーナ２を閉じた状態にするケースでは、横フィン４に対して、上述した各突条７を設ければよい。
【符号の説明】
【００３８】
１    レジスタ
２    リテーナ
６    縦フィン
６Ａ  縦フィンの表面
６Ｂ  縦フィンの表面に近接した縦フィンの端部
７    突条
７Ａ  突条の側面（返し）
Ｗ    リテーナの通風方向（上流側）
【図１】
2015152202.tif 000003
【図２】
2015152202.tif 000004
【図３】
2015152202.tif 000005
【図４】
2015152202.tif 000006
【図５】
2015152202.tif 000007
【図６】
2015152202.tif 000008
【図７】
2015152202.tif 000009
【図８】
2015152202.tif 000010
【図９】
2015152202.tif 000011
【図１０】
2015152202.tif 000012
【図１１】
2015152202.tif 000013
【図１２】
2015152202.tif 000014
【図１３】
2015152202.tif 000015
【図１４】
2015152202.tif 000016
【図１５】
2015152202.tif 000017